Podtech/llm-jp-corpus-v4-ja_patent huggingface dataset:
(57)【要約】【課題】  虫歯、歯槽膿漏の原因となっている、歯、歯肉の裏面の磨きは、短時間で、容易に磨く事は難しく、今までの歯ブラシでは、同時に複数本の歯と歯肉を磨く事は困難でした。本発明は、歯と歯肉の裏面を短時間で、容易に、磨く事を提供する。【解決手段】  歯の並びと平行に直角に丁字状の植毛基台の刷毛が設置される為、接触面積が大で、歯と歯肉の裏面の磨きが簡単です。右側の歯の裏面を磨く時は、右手で長手ロッドを持ち、左側の歯の裏面を磨く時は、左手で長手ロッドを持ち変えて歯を磨くと良く磨ける。又奥歯の磨きには、植毛基台を垂直に使用すると、容易に、簡単に、短時間で、歯と歯肉の裏面を磨く事が出来る。【選択図】図１
2020195488.tif 000002
【特許請求の範囲】
【請求項１】
長手ロッド状の柄部にネックを介して、直角に曲げ、先端ロッドに扁平状の植毛基台
を設け、植毛基台に多数本の刷毛を植設した頭部を長手ロッドの柄部に対して平行
に延びだすように設置する、裏面用歯ブラシ。
【発明の詳細な説明】
【技術分野】
【０００１】
本発明は、歯の裏面を磨く歯ブラシに関するものである。
【背景技術】
【０００２】
歯の裏面は磨きにくく、歯の裏面全体を磨く事は容易ではない。その為、磨きが不
完全な為、歯の裏面から、虫歯、歯槽膿漏の進行が進む事は知られておる。
【先行技術文献】
【特許文献】
【０００３】
【特許文献１】特開１９９９−４６８６２
【特許文献２】特開２０００−３３３７３３
【特許文献３】特開２００２−５１８３７号公報
【特許文献４】特開２００６−２０４４６４号公報
【特許文献５】特開２０１７−００６３９６
【特許文献６】特願２０１７−１９８１５８
【発明の概要】
【発明が解決しようとする課題】
【０００４】
歯の裏面側を磨く事は容易ではない、特に奥歯を磨く事は容易ではなく、正しく磨く
には時間がかかり、不可能でした。
【課題を解決するための手段】
【０００５】
長手ロッド１の柄部に、ネック２を介して、略直角に曲げ、それに先端ロッド３を設け
る、先端ロッド３の端部に扁平状の植毛基台４を、先端ロッド３と丁字状に設ける。
植毛基台４に多数本の刷毛５を植設し、刷毛５を長手ロッド１の柄部に向かって平行
に延びだすようにした。
【発明の効果】
【０００６】
本発明は従来不可能とされていた、歯と歯肉の裏面を複数本同時に、簡単に、短
時間で、奥歯まで磨く事が出来る。このことにより歯の患者数を少なくし、医療費の
低減にも貢献できるという利点がある。
【図面の簡単な説明】
【０００７】
【図１】図１は本発明の側面図
【図２】図２は本発明の平面図
【発明を実施するための形態】
【０００８】
以下本発明の実施の形態を説明する。
（イ）  長手ロッド１    ネック２    先端ロッド３    扁平基台４    刷毛５
本発明を使用するときは、刷毛を複数本の歯と歯肉の裏面に水平に接触するよう
に、直角にあててみがくと良く磨ける。又奥歯は刷毛を垂直に使用すると簡単に
磨ける。
【符号の説明】
【０００９】
１    長手ロッド
２    ネック
３    先端ロッド
４    扁平基台
５    刷毛
【図１】
2020195488.tif 000003
【図２】
2020195488.tif 000004
(57)【要約】【課題】洗濯乾燥機で熱源を使用しない方式では乾燥が不十分で外干しや室内干しをする必要があるので不便であり、風乾燥など工夫を凝らして特許請求した製品もあるし、ヒーターを取り付けて温風を吹き込んだりヒートポンプを利用した温風を使用するなどの工夫がなされているが、それらの商品はいずれも高額になるという悩みがあるので熱源を使用せずに簡単な器具を加えるだけで乾燥をより良い状態にすることが出来れば便利だという考えの基に本発明器具が考案された。【解決手段】下向きの風を発生させるプラスチック系かビニール系が望ましく、構造は四角形か翼型の羽を洗濯槽上部の内側に収まるように洗濯槽に取り付けるか乾燥洗濯機本体に取り付けて、洗濯槽の脱水や風乾燥時の高速回転を利用して下向きで渦巻き状の風を発生させることで風乾燥よりも短い時間での乾燥を可能にした。【選択図】図１
2020195571.tif 000002
【特許請求の範囲】
【請求項１】
洗濯槽内に下向きの風を発生させる構造の羽根で、形状は四角形で水平面から見た角度は下側に向かって概ね３０度から９０度の間で好ましくは４５度程度であるが、形状が四角型ではなく翼型でも出来るがそのことにはこだわらなく、洗濯槽上部に取り付けるか洗濯機本体に取り付けて洗濯槽上部空間に収まるようにして、洗濯槽の回転を利用して下向きで渦巻き状の強風を発生させる形状の器具である。
【請求項２】
上記器具を後付けではなく、洗濯槽や洗濯乾燥機に取り付けてあるドラム型と縦型の洗濯乾燥機。
【発明の詳細な説明】
【技術分野】
【０００１】
本発明は、洗濯機の高速回転時の遠心力で発生させる渦巻き状の風を利用して乾燥をより良い状態にする補助器具である。
【背景技術】
【０００２】
洗濯物の脱水はローラーで挟んで絞るタイプの物もあるが、近年は洗濯槽を高速回転させてその遠心力を利用するタイプの物が主流になっている。
【０００３】
脱水の終わった洗濯物を乾燥機に移すのが普通であったが近年は洗濯乾燥機も開発されて普及が進んでいるが、乾燥機と比べて乾燥が不十分だというのが実情である。
【０００４】
この改善策として、風を吹き込む等の工夫がなされた機器も販売されているが充分な乾燥を実現出来ていないので、さらに温風を吹き込む等の機能が追加された機器も発売されている。
【０００５】
しかしある温風を使用する場合は熱源を加えたり、ヒートポンプを利用する等の追加設備を擁するため高額になるので、安価でより良い乾燥を実現できれば便利である。
【先行技術文献】
【特許文献】
【０００６】
特願２０１７−３３３７１
【発明の概要】
【発明が解決しようとする課題】
【０００７】
解決しようとする問題点は、熱源等を使用せずにより良い状態の乾燥を実現させることである。
【課題を解決するための手段】
【０００８】
脱水や風乾燥などの洗濯槽高速回転時に洗濯槽内に下向きで渦巻き状の強風を発生させる構造の羽根を取り付けることでより良い乾燥が実現できた。
【発明の効果】
【０００９】
本発明器具は熱源も動力も使用しないで、既存の風乾燥よりも乾燥時間の大幅な短縮という利点がある。
【図面の簡単な説明】
【００１０】
【図１】図１は本発明器具の取り付け正面図である。
【図２】図２は本発明器具本体の正面面図である。
【図３】図３は本発明器具の取り付け平面図である。
【発明を実施するための形態】
【００１１】
本発明器具の素材はプラスチック系が望ましいが限定するものではなく、羽根形状は下向きの風を発生させるのが目的なので、四角形でなくとも扇風機等に使われる翼型等でもよいが、図面は四角形を採用して、取り付け箇所は洗濯機本体でも良いが洗濯槽上部に乗せるようにしている。
【産業上の利用可能性】
【００１２】
既存の洗濯乾燥機に後からの取り付けではなく、事前に取り付けた乾燥の方式が違う新しい洗濯乾燥機とすることも出来る。
【符号の説明】
【００１３】
a    風を発生させる面  
b    取り付け面
c    角度
d    洗濯槽
e   洗濯乾燥機
【図１】
2020195571.tif 000003
【図２】
2020195571.tif 000004
【図３】
2020195571.tif 000005
(57)【要約】      （修正有）【課題】傘本体の生地を簡単に交換する事を可能とする傘を提供する。【解決手段】傘本体の生地４を交換できるようにするため、傘本体の石突き１部をネジ式へ変更し、傘本体の生地４脱着を可能とする。生地４交換作業として、石突き１ネジ及び、つゆ先５での生地４固定となり、骨組みを再利用する事で環境問題にとても役立つ。【選択図】図１
2020195595.tif 000002
【特許請求の範囲】
【請求項１】
従来の傘本体の石突き１をネジ式へ変更し、脱着可能な石突き1部位より生地４の取外しを可能とする。生地４には陣笠２、菊座３を備え、生地４を石突き1ネジ式固定及び、つゆ先５固定により、新たな生地４への入替を可能とする模様替え傘。
【発明の詳細な説明】
【技術分野】
【０００１】
本発明は、日傘、雨傘の生地を簡単に交換できるように開発した、傘に関するものである。  
【背景技術】
【０００２】
傘を長期間で使用すると、生地４が汚れ、劣化により破れやすくなり、傘本体を廃棄していた。
【発明の概要】
【発明が解決しようとする課題】
【０００３】
傘を長期間で使用していると、生地４の劣化による色褪せ等で、傘本体の入替えを余儀なくされているため、生地４を簡単に交換できる構造を提供する。
【課題を解決するための手段】
【０００４】
本発明は、傘本体の生地４を交換できるようにするため、生地４を簡単脱着可能とする新しい構造を特徴とする。
【図面の簡単な説明】
【０００５】
【図１】本発明である模様替え傘を示す正面図である。
【符号の説明】
【０００６】
１    石突き
２    陣笠
３    菊座
４    生地
５    つゆ先
【図１】
2020195595.tif 000003
(57)【要約】      （修正有）【課題】人体の膠原繊維と毛細血管とリンパ管に溜まった老廃物を、皮膚の上から効果的に除去する方法を提供する。【解決手段】円柱状の棒１を用いる事で、今までにある器具では出来なかった骨６付近まで膠原繊維３と毛細血管５とリンパ管４に溜まった老廃物に強制的にアプローチし、除去する。【選択図】図１
2020137980.tif 000002
【特許請求の範囲】
【請求項１】
人間の体内にある膠原繊維と毛細血管とリンパ管に溜まった老廃物を同時に除去し、細胞の機能を強制的に活性化させる治療法。
【請求項２】
膠原繊維と毛細血管とリンパ管に溜まった老廃物を同時に、強制的に活性化させる為に使う円柱の棒。
【発明の詳細な説明】
【技術分野】
【０００１】本発明は今までの治療法と違い、膠原繊維と毛細血管とリンパ管に溜まった老廃物を同時に強制的に円柱棒で加圧回転し、骨付近まで細胞を活性化することが出来る発明である。
【背景技術】
【０００２】今までの治療法では、筋肉を治療する事を目的とし指圧等ていたが、本発明では円柱の棒を使う事により強制的に、膠原繊維と毛細血管とリンパ管を同時に加圧回転する事で、痛みや疲れの原因である老廃物を同時に除去し活性化する事が出来るのである。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・】
今までの治療では薬で痛みを止めていたが、特に膠原繊維は複雑に絡み合っていて、絡み合った隙間に老廃物が蓄積し、除去する事が困難で、薬で緩和する事しか出来なかった。
【課題を解決するための手段】
【・・・・】
本発明。
【発明の効果】
【・・・・】
何年にもわたり、人体に蓄積された、膠原繊維と毛細血管とリンパ管に溜まっていた、痛みや疲れの原因と思われる老廃物を強制的に除去し、細胞機能の活性化を促す事により、快適な生活を送る事が出来るようになる。
【図面の簡単な説明】
【・・・・】
１．円柱棒
２．表皮
３．膠原繊維
４．リンパ管
５．毛細血管
６．骨
７．足
８．前後の移動方向
【図１】
横から見た図面
【図２】
使用法
【発明を実施するための形態】
【・・・・】
人体の皮膚の上に円柱の棒をやや強く押し当て、前後に転がしながら老廃物を押し流すように使用する。
【実施例】
【・・・・】
【産業上の利用可能性】
【・・・・】
【符号の説明】
【・・・・】
【受託番号】
【・・・・】
【配列表フリーテキスト】
【図１】
2020137980.tif 000003
【図２】
2020137980.tif 000004
(57)【要約】【課題】ゴルフコースのグリーン上のボールマークの凹み部を芝生の根を傷めることなく、容易に平坦に修正出来るグリーンフォークを提供する。【解決手段】本体６を押圧力Ｆで地面を押圧し、本体から延出するニードル９を地面に挿入し、ニードル９上をスライドするスライドプレート７を凹み部２ａ外周に形成された凸部２ｂに押圧し、スライドプレート７への地面の反力と、本体６とスライドプレート７に固持された緩衝材８の抗圧力をバランスさせ、凹み部２ａ外周に形成された凸部２ｂを押圧することにより、芝生の土を引き上げることなく、容易に平坦に修正できる。【選択図】図４
2020137988.tif 000002
【特許請求の範囲】
【請求項１】
把持部４からなる本体６と、本体端部の固設部５から延出するニードル９、ニードル外周をスライドする空孔１１を持つスライドプレート７、該スライドプレートと本体端部の固設部５に、それぞれ固設された緩衝部材８からなり、本体の押圧力Ｆに基づき、該スライドプレート７は、ニードル９の地面への挿入に基づく地面からの反力に応じ、緩衝部材８の抗圧力とバランスし地面を押圧するスライドプレート型グリーンフォーク。
【請求項２】
請求項１に記載のグリーンフォークにおいて、スライドプレート７は、ニードル９の外周をスライドする空孔９と、地面と密着し地面との摩擦力を高める複数の貫通孔１０を有するスライドプレート型グリーンフォーク。
【請求項３】
請求項１に記載のグリーンフォークにおいて、本体の把持部４は、ポンプ機能１３と、水を貯水するタンク部１４からなるスライドプレート型グリーンフォーク。
【発明の詳細な説明】
【技術分野】
【０００１】  本発明はゴルフコースでグリーン上のゴルフボールマーク（凹み）を修正するグリーンフォークに関するものである。
【背景技術】
【０００２】  ゴルフコースのグリーンは芝生で管理されているため、ゴルフボールの落下する衝撃で凹みが発生する。この凹みは後続のプレーヤーに影響を与えるため平坦に修正する事がマナー上求められていると伴に、後続のプレーヤーも任意にこの凹みを平坦に修正するのがゴルフ規則で認められている。この凹みを修正するのがグリーンフォークである。
【先行技術文献】
【特許文献】
【０００３】    特開２０１８−１５３４６には２枚の平坦なグリーンフォークを重ね合わせ丁番の形態により結合しピンセット構造により、凹み部を挟持し引き上げて平坦にする技術が記載されている
【発明の概要】
【発明が解決しようとする課題】
【０００４】  解決しようとする問題点は、既存のグリーンフォークでは、芝生凹み部外周にフォークを挿入し、凹み部に地面を引き寄せ、その後、平坦なパターの底面で叩いて平坦にしているため、芝生の根を傷めるとともに平坦面に難がある、他の実施例では２枚のフォークを丁番で構成し、ピンセット状の先端で凹み部を引き上げることで平坦にするため、芝生の根も土から引き上げる為、根を傷めることになる
【課題を解決するための手段】
【０００５】  本発明は本体６を押圧力Ｆで地面を押圧し、本体から延出するニードル９を地面に挿入し、ニードル上をスライドするスライドプレート７を凹み部２ａの外周に形成された凸部２ｂを押圧し、スライドプレート７への地面の反力と、該スライドプレートと本体端部の固設部５に、それぞれ固設された緩衝部材８の抗圧力をバランスさせ、凹み部２ａ外周に形成された凸部２ｂを押圧することにより、芝生の土を引き上げることなく、容易に平坦に修正可能とする機能を持たせることで課題を解決した。
【発明の効果】
【０００６】  本発明によるスライドプレート型グリーンフォークは、芝生の凹み部２ａの外周に形成された凸部２ｂに、ニードル９上をスライドするスライドプレート７を押し当て、凸部２ｂからの反力と、スライドプレート７への緩衝材８の抗圧力がバランスしながら押圧して平坦にするため、芝生の根を何ら傷めることなく、凹み部２ａが形成される以前と何ら変わることなく修正される。
さらに、図５は本体の把持部をスプレーボトルのタンク部１４と給水ポンプ部１３で構成し、凹み部２ａへ給水することによりボール落下の衝撃で傷んだ芝生の、早期の養生を促すことが、容易にできる。
【図面の簡単な説明】
【０００６】
【図１】従来のグリ‐ンフォークの概念図
【図２】従来のグリーンフォークの他の概念図
【図３】本発明のスライドプレート型グリーンフォーク正面図、左側面図  右側面図、矢視図
【図４】本発明のスライドプレート型グリーンフォークの使用概念図
【図５】本発明のスライドプレート型グリーンフォーク他の実施例
【発明を実施するための形態】
【０００７】  図３は本発明の一例を示す正面図、左側面図、右側面図、矢視図である。
図４は本発明の使用概念図である。
【実施例】
【０００８】図３に示す本体６は手で握り地面に押圧力Ｆを与える把持部４とニードル９と緩衝部材８を固設する固設部５より構成される。  緩衝部材８は、圧縮スプリングの使用を示すが、他の弾性を有するゴムでも代用可能である。
該固設部５は、地面凸部２ｂに対峙する平板状のスライドプレート７の円筒の空孔内１１を貫通し地面に挿入する円柱状のニードル９と、抗力を発生する緩衝部材８を固定する突起１２ｂが形成され、圧縮スプリングが突起外周に圧入されている。
スライドプレート７は裏面中心部に緩衝部材８を固定する突起１２ａが形成され、圧縮スプリングが突起外周に圧入されている。
スライドプレート７は、正面から裏面に貫通する多数の貫通孔１０を有し、凸部２ｂの芝生の先端と噛み合い摩擦力を高め、本体６の押圧力Ｆを有効に凸部２ｂに伝達する。
図４は、本発明の凹み部２ａ外周に形成された凸部２ｂへのスライドプレート７の使用開始状況及び使用終了状況を示している。ニードル９上をスライドするスライドプレート７の平面部は、凸部２ｂ形状に斜め方向から、本体６の押圧力Ｆで凸部２ｂに対峙し、凸部２ｂからの反力と緩衝部材８の抗圧力でバランスしながら、凸部２ｂが平坦になるまで芝生の面を押圧する、結果として凹み部２ａへゴルフボールの衝撃で形成された凸部２ｂの盛土が移動し、ボール落下以前の芝生面に復帰する。
【符号の説明】
【０００９】１  グリーンフォーク
２ａ  凹み部
２ｂ  凸部
３  ピンセット型グリーンフォーク
４  把持部
５  固設部
６  本体
７  スライドプレート
８  緩衝部材
９  ニードル
１０  貫通孔
１１  空孔
１２ａ  スライドプレート突起
１２ｂ  固設部突起
１３  給水ポンプ部
１４  タンク部
【図１】
2020137988.tif 000003
【図２】
2020137988.tif 000004
【図３】
2020137988.tif 000005
【図４】
2020137988.tif 000006
【図５】
2020137988.tif 000007
(57)【要約】【課題】太陽光発電システムは太陽位置が地表に対して常に動いているために従来型の太陽光パネル固定設置の場合は太陽エネルギーを電力へ変換する装置の定格出力と太陽光パネルの定格出力を最大時間帯に合わせるしかなく全時間帯を平均的に発電することができなかった。【目的】本システムは太陽の動きに合わせて時間帯毎に東西方向の角度を５種類以上に配置することで日照時間帯毎にピーク時間を分散させて平均的な発電計画を可能にし高い割合でバランスのとれた設備を可能とし地域の電力の供給バランスに貢献することを可能とする。【選択図】図２
2020137400.tif 000002
【特許請求の範囲】
【請求項１】
太陽光パネルを東西方向５種類以上の角度を設定して設置配列する方法
【発明の詳細な説明】
【発明の詳細な説明】
【０００１】本発明は太陽光パネル設置据付の際に東西方向に限定し角度を５種類以上にすることにより全ての日照時間帯で平均的に発電することを可能にする。
【０００２】太陽高度が南中点時間帯の最大発電の瞬間ピークを分散させて平均的な発電を可能にする。
【０００３】時間帯毎に配置角度を分散させ太陽位置による影の影響を減らしパネルを隣接させることで土地面積より広い面積のパネル配置を可能にする。
【図面の簡単な説明】
【０００４】
【図１】平面図と面積
【図２】側面図と太陽位置と発電量グラフ
【図３】発電曲線の比較
【図１】
2020137400.tif 000003
【図２】
2020137400.tif 000004
【図３】
2020137400.tif 000005
(57)【要約】【課題】  小麦粉と水を予め混合することで必要分量だけ簡単に取り出せて、且つ、グルテンを含まない米粉等のグルテンフリーな食品とすることもできる食用溶液を提供することを目的とする。【解決手段】  小麦粉、米粉、もち米粉、片栗粉、コーンスターチ、タピオカスターチ、うき粉の中で１種類または２種類を選択した粉類と、水とを混合して攪拌し、液体性状を有することを特徴とする食用溶液。【選択図】  なし【特許請求の範囲】
【請求項１】
小麦粉、米粉、もち米粉、片栗粉、コーンスターチ、タピオカスターチ、うき粉の中から１種類または２種類を選択した粉類と、水とを混合して攪拌し、液体性状を有することを特徴とする食用溶液。
【発明の詳細な説明】
【技術分野】
【０００１】
本発明は、天ぷらの衣やたこ焼きの生地などに使用される食用溶液に関する。
【背景技術】
【０００２】
天ぷらの衣やたこ焼きの生地を作る際、小麦粉を水で溶いたものが用いられているが、この時作りすぎて余ったものが廃棄になったり、必要分以上の小麦粉を買ってしまったりすることが多い。加えて小麦粉と水の配合割合は、料理の出来上がりを大きく左右し、特に天ぷらにおいては、揚げたてのサクッとした食感が長時間保たれるように作るのは至難の業である。
【０００３】
また、近年小麦粉に含まれるたんぱく質であるグルテンの摂取量を少なくすると、腸内環境の改善、ひいては体全体の不調が改善されたとの報告が上がっている。このことから、グルテンを含有しない食品や、グルテンを摂取しない食事法として「グルテンフリー」という考え方が普及し、世間の注目を集めつつある。
【発明の概要】
【発明が解決しようとする課題】
【０００４】
そこで本発明は上記事情に鑑み、小麦粉と水を予め混合することで必要分量だけ簡単に取り出せ、廃棄する量を極力減らすことができる食用溶液であって、且つ、該食用溶液に用いられる小麦粉はグルテンを含まない米粉等を使用することで、グルテンフリーな食品とすることができる食用溶液を提供することを目的とする。
【課題を解決するための手段】
【０００５】
小麦粉、米粉、もち米粉、片栗粉、コーンスターチ、タピオカスターチ、うき粉の中から１種類または２種類を選択した粉類と、水とを混合して攪拌し、液体性状を有することを特徴とする。
【発明の効果】
【０００６】
本発明によれば、従来小麦粉と水を混合して作っていた天ぷらの衣液やたこ焼き、お好み焼きの生地の溶液が既に適切な配合割合で作られているため、自分で作る手間が省け、さらに必要な分量を自由に取り出すことができるため、家庭で手軽に使用することが可能となる。
また、本発明の食用溶液に用いる小麦粉を、米粉やコーンスターチなどグルテンを含まない粉類と置き換えることで、グルテンフリーな天ぷらやたこ焼きを提供することができる。加えて、グルテンに対してアレルギーを持つ人であっても、本発明の食用溶液を用いた料理であれば美味しく食べることができる。
【発明を実施するための形態】
【０００７】
以下に本発明の一実施例を詳説する。
本実施例にて使用する食用溶液の原料は、もち米粉３５ｇ、片栗粉３５ｇ、天かす３５ｇ、水１８０ｇである。
第一工程として、もち米粉、片栗粉及び天かすをフードプロセッサーやミキサーを用いて攪拌し、粉状の混合物とする。
第二工程として、前工程で攪拌して得られた混合物をボールに移し、そこに水を加えてしっかりと攪拌する。
第三工程として、前工程にて生成された溶液をチューブ状の保存容器に詰めて、冷蔵又は冷凍保管する。
【０００８】
また、本発明の食用溶液を使用して天ぷらを調理する場合は、保存容器から絞り出した食用溶液を天ぷらにする材料に直接かけるか、通常の天ぷらの調理工程と同様に別の容器に絞り出した食用溶液に材料をくぐらせたものを、おおよそ１７０度の油で揚げれば完成である。
この他にも、本食用溶液を用いてたこ焼きを調理する場合は、たこ焼き機に直接食用溶液を流し込んだ後、通常のたこ焼きの調理と同様にたこや紅ショウガ等の具材を生地に落とし、丸く焼き上げていけば良い。
【０００９】
本実施例において、食用溶液にはもち米粉、片栗粉を用いているが、コーンスターチやタピオカスターチ等を組み合わせて使用しても良い。
また、小麦粉を用いて食用溶液を製造する場合は、第二工程にてさっくり混ぜてグルテンの粘り気が出ないよう混ぜ過ぎに注意する。
【００１０】
上記したように本発明の食用溶液を用いることで、本来の調理工程にて生じていたはずの「小麦粉と水を混ぜ合わせて衣液を作る」工程が省かれ調理時間の短縮が期待できる。本食用溶液は一定量を個別に袋詰めして販売するため、家庭で使用する際に必要な分量だけ取り出すことができ、食品の廃棄を少なくすることが期待される。加えて、食用溶液を保管方法には冷蔵又は冷凍を用いるため、天ぷらの衣液として食用溶液を使用する際に衣液冷却させる手間を省くことができる。つまり、美味しい天ぷらを調理するために必要である冷たい衣液を簡単に用意することができるため、作りたいと思ったときにすぐに使用し、調理工程が少々面倒な天ぷらを今までよりも手軽に家庭で味わうことができる。
【００１１】
また、本発明の食用溶液に使用している小麦粉を、米粉、餅粉、片栗粉、コーンスターチ及びおからに置き換えて食用溶液を製造すれば、グルテンを含まない、つまりグルテンフリーな天ぷらやたこ焼きを調理することができる。すると、グルテンフリーな食事を心がけている方や、アレルギーを持っている方でも天ぷらやたこ焼きを楽しむことができ、食事の幅が広がる。
【００１２】
さらに、小麦粉を使用していない食用溶液を用いることで、粘りの素であるグルテンを含まない衣となるため、サクッとした食感の衣を作る事ができる。また、天かすを使用すれば、よりサクッとした食感を上げることができる上に、天かすが持つ油分で粉類の余計な粘り気をコーティングし、さらに食感が向上するため美味しく調理することができる。
【００１３】
加えて、本食用溶液の態様は液状であり、液状であることによりその時に使いたいと思う分量を簡単に使用できる。たこ焼きであれば１個から作ることもできるし、お好み焼きやチヂミであれば好みのサイズの分量だけ取り出すことも可能である。
(57)【要約】      （修正有）【課題】圃場に地中固定したガイドレールに、モーターで移動可能な台を取り付け、その台に視野の調節が出来る可動式カメラと可動式農作業用アームを取り付け、農作業を遠隔で行う事が出来る装置を提供する。【解決手段】ガイドレール１を地中に固定することにより、圃場に設置したガイドレール１上の移動式アーム固定台８に設置した農作業用アーム４とカメラとアーム３を転倒しないように支える事が出来、トルクのかかる農作業が遠隔操作で出来る。【選択図】図１
2020137507.tif 000002
【特許請求の範囲】
【請求項１】
圃場に地中固定したガイドレールに、モーターで移動可能な台を取り付け、その台に視野の調節が出来る可動式カメラと可動式農作業用アームを取り付け、農作業を遠隔で行う事が出来る装置。
【請求項２】
圃場に設置した地中固定式ガイドレールを使用する事により、作業用アームとカメラが転倒しないように支える事が出来、トルクの掛かる農作業を可能に出来る為、土寄せや除草又、収穫などの一連の作業が遠隔操作で可能になり座標管理も出来る装置。
【発明の詳細な説明】
【技術分野】
【０００１】ここから書き始めます。
【背景技術】
【０００２】様々なセンサーを用いた圃場の監視システム等が有るが、トルクの掛かる農作業を遠隔操作で行う事の出来る装置は無かった
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】
【・・・・】
圃場に行かなければ、農作業をする事が出来ないので、植物の管理育成がかになってしまい、質の良い農作物を育てるのに苦労がたえなかった。
【・・・・】
【発明の効果】
【・・・・】
農作業は圃場に出て行わなければ成らなかったが、本発明で、農作業のほとんどを遠隔操作で出来る様に成る為、天候や日時に左右されず、場所にもとらわれず、農作業がいつでも遠隔操作で出来、生産効率を上げる事が可能に成り地中固定式ガイドレール使用により、座標管理も可能となった。
【課題を解決するための手段】
【図面の簡単な説明】
【・・・・】
【図１】
横から見た図
【図２】
斜め上から見た図
１．  地中埋設型ガイドレール
２．  車輪
３．  カメラとアーム
４．  農作業用アーム
５．  作業用触手
６．  植物
７．  畝
８．  稼動式アーム固定台
【発明を実施するための形態】
【・・・・】
【実施例】
【・・・・】
【産業上の利用可能性】
【・・・・】
【符号の説明】
【・・・・】
【受託番号】
【・・・・】
【配列表フリーテキスト】１．  円柱棒
２．  表皮
３．  膠原繊維
４．  リンパ管
５．  毛細血管
６．  骨
７．  足
８．前後の移動方向
【図１】
横から見た図面
【図２】
使用法
【発明を実施するための形態】
【・・・・】
人体の皮膚の上に円柱の棒をやや強く押し当て、前後に転がしながら老廃物を押し流すように使用する。
【実施例】
【・・・・】
【産業上の利用可能性】
【・・・・】
【符号の説明】
【・・・・】
【受託番号】
【・・・・】
【配列表フリーテキスト】
【図１】
2020137507.tif 000003
【図２】
2020137507.tif 000004
(57)【要約】【課題】２Ｄ／３Ｄ図形データおよびイベント・ルールなどの付加情報を作成しても、一元的なファイルとして構成することができない。また、専用のソフトウェア無しに作成した２Ｄ／３Ｄ図形データを他者へ展開することはできない。【解決手段】２Ｄ／３Ｄ図形データおよびイベント・ルールなどの付加情報をＸＭＬとして包括的に定義し、各種デバイスで表示／動作するデータ生成する仕組みを提供する。本システムおよび仕組みは、「ＸＭＬデータの生成の部」（１）「ＸＭＬデータ表示の部」（２）「ＸＭＬデータイベント処理の部」（３）を備える。【選択図】図１
2020149654.tif 000002
【特許請求の範囲】
【請求項１】
２Ｄ／３Ｄの図形要素および図形毎に付与したイベント・ルールなど付加情報の定義を単一ないしは複数のＸＭＬファイルで構成・生成する方法。
【請求項２】
２Ｄ／３Ｄの図形要素を解析し定義通りの表示させる方法。
【請求項３】
２Ｄ／３Ｄの図形要素毎に付与したイベント・ルールなど付加情報（処理の順序を考慮した複数イベント・ルール付加情報を含む）を解析し定義通りの動作をさせる方法。
【発明の詳細な説明】
【技術分野】
【０００１】本発明は、２Ｄ／３Ｄ図形データをＸＭＬファイルとして自動生成し、生成したＸＭＬを表示／作動させる方法を目的とする。
【背景技術】
【０００２】従来は、２Ｄ／３Ｄ図形データおよびイベント・ルールなどの付加情報を展開するするためには、作成者がそれぞれ専用のソフトウェアを活用して作成したデータを利用者が専用のソフトウェアで閲覧するか動画像に変換して閲覧することしかできなかった。本発明では、上記のデータおよび付加情報を包括的かつ判読性の高いドキュメントとして扱え、また利用者が部品を組み替えや追加、イベント・ルールの修正／付加することで、モデル図形の表示動作の再構築が容易にすることを可能にした。
【発明の概要】
【発明が解決しようとする課題】
【０００３】２Ｄ／３Ｄ図形データおよびイベント・ルールなどの付加情報を作成しても、包括的かつ判読性の高いファイルに構成することができなかった。【０００４】また、専用のソフトウェア無しに作成した２Ｄ／３Ｄ図形データを他者へ展開することができなかった。
【課題を解決するための手段】
【０００５】本発明は、課題を解決するための手段として「ＸＭＬデータ生成の部」「ＸＭＬデータ表示の部」「ＸＭＬデータイベント処理の部」から構成される各仕組みを提供する。【０００６】まず、「ＸＭＬデータ生成の部」として、２Ｄ／３Ｄの図形クラスをＸＭＬデータとして生成し、管理オブジェクト毎にＩＤを付与する。また、管理オブジェクト毎のデータクラウスを生成し、図形クラスに付与したＩＤを紐づける。イベント・ルールが定義されている場合は、その内容をＸＭＬに展開して生成されたＸＭＬファイルを指定のフォルダへ配置する。配置する際にファイルを圧縮して配置し、その圧縮されたデータを表示することも可能とする。【０００７】オブジェクト毎に、指定されたイベントタイプ（クリック／指示カーソルを重ねる／自動開始／変化点検出）を定義し、イベントの周期（周期の時間／指定回数もしくは無限回）を設定する。さらに、起動するソース（ＵＲＬ／プロセス名／ファイル名など）を埋め込む。【０００８】設定したルールに矛盾がないかを検証し、表示ソフトウェアを利用してシミュレーションを実行して挙動を確認する。【０００９】生成されたＸＭＬデータは、「ＸＭＬデータ表示の部」で解析して表示する。ここで対象のＸＭＬデータは、圧縮された形式も表示することが可能。表示したＸＭＬデータに対してイベント定義の有無を確認し、イベント定義がある場合は「ＸＭＬデータイベント処理の部」で定義されたプロセスの実行を行う。その後、定義されているイベントを繰り返し処理し全て終わったことを確認して終了する。【００１０】「ＸＭＬデータ表示の部」では、ＸＭＬ図形データクラスを解析して対象のモデルが２Ｄか３Ｄかを判別する。２Ｄ／３Ｄの各モデルに応じてデータを解析して表示する。【００１１】「ＸＭＬデータイベント処理の部」では、ＸＭＬイベント・ルールの定義内容を解析し、図形クラス毎のＩＤを取得して図形に応じたイベント種別を判別して実行する。実行後は、イベント定義に応じた後処理を実行し、その後イベント定義に応じた周期設定を確認し実行する。【００１２】イベント種別：データクラス表示では、図形クラスのＩＤを取得し該当するデータクラスを取得する。図形クラス毎に定義づけされたイベントの発生時に合わせて２Ｄ／３Ｄに応じたデータクラスを図形クラスに重畳する。【００１３】イベント種別：イフェクトでは、図形クラスのＩＤを取得し該当する効果の与え方を取得する。図形クラス毎に定義づけされたイベントの発生時に合わせて２Ｄ／３Ｄに応じた効果を再現する。【００１４】イベント種別：外部イベントでは、２Ｄ／３Ｄモデルに対応する投棄実行を行う。
【発明の効果】
【００１５】２Ｄ／３Ｄ図形データおよびイベント・ルールなどの付加情報をＸＭＬとして包括的かつ判読可能なドキュメントとして扱うことが実現できるため、外部などに委託することなく、部品を組み替えや追加、イベント・ルールの修正／付加することが可能となる。
さらに、ＸＭＬを活用するため、定義された各要素を外部から制御／取得することが可能になり、他システムとの連携やシステムの拡張など柔軟に対応できる。
【図面の簡単な説明】
【００１６】
【図１】全体の処理を示すフローチャート。
【図２】「ＸＭＬデータ生成の部」の処理を示すフローチャート。
【図３】「ＸＭＬデータ表示の部」の処理を示すフローチャート。
【図４】「ＸＭＬデータイベント処理の部」を示すフローチャート。
【発明を実施するための形態】
【００１７】  図１ないし図４は本発明に係る実施例を示す。図１において「ＸＭＬデータの生成の部」１と「ＸＭＬデータ表示の部」２および「ＸＭＬデータイベント処理の部」３の構成を特徴とした形態。
【産業上の利用可能性】
【００１８】本発明は、２Ｄ／３Ｄ図形とその図形に関わる表示方法や動作をＸＭＬファイルに変換する文書変換装置、当該文書変換装置で動作する文書変換プログラム、当該文書変換プログラムを記録した記録媒体および当該文書変換装置を含むシステムにおける文書変換方法と当該文書変換装置で作成されたＸＭＬファイルを表示する文章表示装置、当該文書表示装置で動作する文書表示プログラム、当該文書表示プログラムを記録した記憶媒体および当該文書表示装置を含むシステムにおける文書表示方法に利用可能である。
【図１】
2020149654.tif 000003
【図２】
2020149654.tif 000004
【図３】
2020149654.tif 000005
【図４】
2020149654.tif 000006
(57)【要約】【課題】木造建築物の免震化を簡易な構造により実現させる為に使用する免震装置を提供する。【解決手段】木造建築物の基礎と土台の間に免震装置を側面より脱着可能な方法で設置し、地震の振動が基礎より上部の木造建築物に伝わる力を軽減する。また、免震装置に使用する免震材を交換可能にすることで多種多様な免震材を使用可能にする。木造建築物の基礎および土台の構造は従来の建築形態を基本とし、最小限の変更にて免震化の普及および設置費用の低減を図る。【選択図】図１
2020122381.tif 000002
【特許請求の範囲】
【請求項１】
土台固定プレートを設置した上部プレートと基礎固定プレートの間に免震材をはさみ込み固定して、建築物の基礎と土台の間に側面から脱着可能な方法で設置することを特徴とする木造建築物用免震装置。
【請求項２】
前記木造建築物用免震装置の上部プレートおよび基礎固定プレートから免震材を脱着可能にすることで免震材の交換変更ができる請求項１記載の木造建築物用免震装置。
【発明の詳細な説明】
【技術分野】
【０００１】  本発明は、木造建築物を免震化する免震装置に関するものである。
【背景技術】
【０００２】  近年、木造建築物は安全性の観点から、耐震性を高めたり制震構造を取り入れる建築物が多くなっている。現状において木造建築物の免震構造は基礎と土台の間に免震用の架台を造りその上に建築物を乗せ免震する方法を採用しているが免震構造はその構造の複雑さと高額な設置費用の面から普及しづらい状況にある。
【先行技術文献】
【特許文献】
【特許文献１】特開２００８−２６６９５８号  公報
【特許文献２】特開２００７−３２１４３９号  公報
【０００３】  特許文献１においては、架台を強度の高い針葉樹積層材を使用し複数の転がり支承を用いて免震構造としている。この構造は本来梁材として使用する針葉樹積層材を土台として使用し堅固な架台を形成するものでありコストアップになる。また、転がり支承のみで免震化しているため動きは滑らかであるが抵抗が少ないために強風時にも建物が揺れる可能性がある。そして、免震装置の交換は難しいと考えられる。【０００４】  特許文献２においては、転がり支承、ダンパー、復元ゴムバンドから成るＬ型、Ｔ型、十型の免震装置を基礎と架台との間に設置し免震構造としている。この構造では免震装置は土台の交差する部分と角の部分にしか設置できず、装置間の距離が長くなる場所が出てくる。その対処法としては特許文献１同様に土台の断面を大きくすることが必要になり、さらに装置自体が複雑で取付および保守点検も容易におこなえないと考えられる。
【発明の概要】
【発明が解決しようとする課題】
【０００５】  本発明は免震装置の取付、保守点検、交換を簡易化することにより免震材の選択を多様化でき、かつ在来の木造建築構造の変更を最小限にして免震化できる免震装置を提供することを目的とする。
【課題を解決するための手段】
【０００６】  本実施形態は免震装置を基礎および土台に対して側面から取付ける事により脱着が可能になり、また２種類の異なる設置プレートを使用することで土台が交差する部分や角の部分にも設置可能とした。免震材も設置プレートに脱着可能な方法で固定するため多種多様なものより選択および変更交換が可能になる。
【発明の効果】
【０００７】  本発明によれば、免震装置の脱着が可能になるため免震装置の設置、交換、保守点検が簡易におこなえる。さらに、免震材が脱着可能になるため積層ゴム、転がり支承、滑り支承等の免震材に変更が可能であり、免震材を効果的に選択使用することで免震効果を上げることが期待できる。【０００８】  免震装置を構成する部品の形状および点数を簡略化することで大量生産および生産コストの軽減が期待できる。さらに、設置方法は従来の木造建築物工事の技術で対応できるため基礎の構造も特別な形態に変更する必要はない。【０００９】  免震装置設置により基礎と土台の間にできる隙間は床下換気口として有効に作用する。さらに、設置、交換、保守点検のために必要な床下空間は災害時の備蓄倉庫としての有効利用ができる。【００１０】  本発明は軽量鉄骨構造ほか軽量な建築物および構造物にも使用可能である。
【図面の簡単な説明】
【００１１】
【図１】本発明に係る木造建築物用免震装置の実施形態における設置説明図である。図中の（Ａ）（Ｂ）は免震装置のタイプを表す。
【図２】本発明に係る木造建築物用免震装置の詳細図である。図中の（Ａ）（Ｂ）は免震装置のタイプ別平面図を表し（ＡＸ）（ＢＸ）は平面図中の矢印向き立面図を（Ｙ−Ｙ）は矢印向き断面図を表す。
【発明を実施するための形態】
【００１２】  以下、図面を参照して本発明の好ましい実施の形態を説明する。本実施形態における木造建築物用免震装置は図１に示すように、（Ａ）タイプと（Ｂ）タイプの２種類の免震装置を使用し基礎８と土台９の間で有効に作用される部分に適宜設置することで地震の揺れを軽減する。
【００１３】  図１において基礎８には基礎固定ビス６を使用し、土台９には土台固定ビス７使用して側面より固定する。この固定方法により免震装置は脱着可能になる。現状においてはビスによる固定方法が最良と考えるが、その他の脱着可能な固定方法の使用も可能である。
【００１４】  図２において木造建築物用免震装置の詳細を説明する。免震装置は（Ａ）タイプと（Ｂ）タイプの２種類があり、免震材を固定する基礎固定プレート２ａ、２ｂと上部プレート３ａ、３ｂの違いにより免震材１を１個もしくは２個固定できるようにした。これにより（Ａ）タイプを使用することで図１に示す土台９が交差する部分や角部分の下部にも設置可能になる。
【００１５】  図２において免震材１を基礎固定プレート２ａ、２ｂと上部プレート３ａ、３ｂにネジ５によって固定する。この固定方法により免震材１の取外しが可能になり免震材１の選択肢も多種多様なものから適宜変更することができる。現状においてはネジによる固定方法が最良と考えるが、その他の脱着可能な固定方法の使用も可能である。
【００１６】  図２において土台固定プレート４を上部プレート３ａ、３ｂの任意の位置に基礎８と土台９の寸法を考慮のうえ固定する。これにより基礎８と土台９の寸法変化にも対応でき、設置する免震材１の相対的位置を任意に調整できる。
【符号の説明】
【００１７】１    免震材
２ａ  （Ａ）タイプ基礎固定プレート
２ｂ  （Ｂ）タイプ基礎固定プレート
３ａ  （Ａ）タイプ上部プレート
３ｂ  （Ｂ）タイプ上部プレート
４    土台固定プレート
５    免震材固定ネジ
６    基礎固定ビス
７    土台固定ビス
８    基礎
９    土台
１０  柱
【図１】
2020122381.tif 000003
【図２】
2020122381.tif 000004
(57)【要約】 【課題】  本発明は、屋根面の軒先部からやや離間した位置に雪止め部材を設置することによって、屋根面の最上位から軒先部に向かって滑落する積雪によって雨樋等が破損したり、人体に衝撃を与えることのないようにすることを目的とする設備を提供することを目的とする。 【解決手段】  適当な広面積に成る設置台１上に設ける雪止め部材５において、屋根勾配面とは逆勾配面の前傾角度に成る垂直杆部６とその上端部から後側方向に形成する傾斜杆部７とその傾斜杆部の左右両側部杆間に融雪網材８を架設して成るものである。【選択図】    図１
2020197034.tif 000002
【特許請求の範囲】
【請求項１】
適当な広面積に成る設置台上に設ける雪止め部材において、屋根勾配面とは逆勾配面の前傾角度に成る垂直杆部とその上端部から後側方向に形成する傾斜杆部とその傾斜杆部の左右両側部杆間に融雪網材を架設して成ることを特徴とする屋根用雪止め具。
【請求項２】
適当な広面積に成る設置台上に設ける雪止め部材において、屋根勾配面とは逆勾配面の前傾角度に成る垂直杆部とその上端部から後側方向に形成する傾斜杆部とその傾斜杆部の左右両側部杆間に融雪網材を架設して成ることを特徴とする屋根用雪止め装置。
【発明の詳細な説明】
【技術分野】
【０００１】
本発明は、屋根面における軒先部に近接して設置する雪止め具及び装置に関するものである。
【背景技術】
【０００２】
本発明の出願人にあっては、すでに次の公開特許公報に掲載された技術を創作しているが、その技術内容がやや複雑であるために、実施できない状況にあるとところ、これを本発明は改良して実施化しようとするものである。
【先行技術文献】
【特許文献】
【０００３】
【特許文献１】特開２０００−２７４０１９号公開特許公報
【特許文献２】特開２００６−２０７２３４号公開特許公報
【発明の概要】
【発明が解決しようとする課題】
【０００４】
本発明は、屋根面の軒先部からやや離間した位置に雪止め部材を設置することによって、屋根面の最上位から軒先部に向かって滑落する積雪によって雨樋等が破損したり、人体に衝撃を与えることのないようにすることを目的とする設備を提供することを目的とするものである。
【課題を解決するための手段】
【０００５】
本発明に係る雪止め装置全体の構成は、適当な広面積に成る設置台上に設ける雪止め部材において、屋根勾配面とは逆勾配面の前傾角度に成る垂直杆部とその上端部から後側方向に形成する傾斜杆部とその傾斜杆部の左右両側部杆間に融雪網材を架設して成る屋根用雪止め具であり、装置である。
【発明の効果】
【０００６】
このように構成した雪止め装置の屋根面上における機能を説明すると、前記傾斜線部材の軒先部側の形状が屋根勾配面とは反対方向の尖鋭角形に突出した形状に成るから、尖鋭角形突出部の底辺部は、屋根面の軒先部から隔離した内側勾配面の方向に配置されることになり、屋根面を滑降して来た積雪に対しては反抗作用を起こすことになって阻止し、軒先部下方への滑落を確実に防止するようになるのである。
【０００７】
また、前記傾斜線部材における尖鋭角形の突出部分は、外部における複数の垂直杆との間に支杆をそれぞれ設置していることによって、耐久力を発揮して安定するのである。
【図面の簡単な説明】
【０００８】
【図１】全体の背面斜視図
【図２】全体の正面図
【図３】全体の平面図
【図４】全体の底面図
【図５】全体の左側面図
【発明を実施するための形態】
【０００９】
本発明の構成にあっては、屋根面の軒先部に近接する位置までの間は空間状態にあるとともにこの空間状態部分を被うように尖鋭角形突出部を位置せしめているから、積雪の滑降を軒先部手前において阻止する作用を発揮することになるのである。
【実施例】
【００１０】
１は全体が長方形に成る設置台で、その設置台は全体の左右中枠部材２，２，２と左右中間中杆２’，２’には多数の架材３・・を架設して成り、その前端部の左右両端部及び中心部には屋根軒先部に掛け止める掛止杆４・・を設けている。
【００１１】
５は前記設置台１の上側部に設ける雪止め部材で、この雪止め部材は等間隔に立設する前傾角度に成る垂直杆６・・とこの垂直杆の上端部から後方向に形成する傾斜杆７・・とこの傾斜杆の左右両側部間を被套して架設する亀甲網材８から成る融雪部材である。ここで融雪部材として使用する亀甲網材は一例であり、その他の態様から成る網材の使用を否定するものではない。
【００１２】
また、前記設置台１の大きさや面積は大小任意であるが、その上側部に設置する雪止め部材５の構造自体は同一である。
【００１３】
９・・は前記雪止め部材５における垂直杆６・・の基部と傾斜杆７・・との間に設けた支杆で、この支杆部は前記網材８を含む傾斜杆７・・を支持するようになる。
【符号の説明】
【００１４】
１                          設置台
２，２，２                  枠材
２，’２’，２’            中杆
３・・                      架材
４・・                      掛止杆
５                          雪止め部材
６・・                      垂直杆
７・・                      傾斜杆
８                          網材
９                          支杆
【図１】
2020197034.tif 000003
【図２】
2020197034.tif 000004
【図３】
2020197034.tif 000005
【図４】
2020197034.tif 000006
【図５】
2020197034.tif 000007
(57)【要約】【課題】    振動検出で低周波数振動を効率的に検出する振動センサーの提供。【解決手段】密閉空間を作って、そこの気圧変動をマイクで検出することによって安易に振動を検出できるセンサーを特徴とする。【選択図】図２
2020197514.tif 000002
【特許請求の範囲】
【請求項１】
マイクロホンを開口部を持つ密閉空間に設置して構成されるセンサーであって、その開口部を振動する側面に密着させて、その振動を測定する事を特徴とするセンサーの構造。
【請求項２】
密閉空間の形状がカップ状であることを特徴とする請求項１に示すセンサーの構造。
【請求項３】
密閉空間を形成する材料が弾性を持ち、吸盤として作用することを特徴とする請求項１及び請求項２に示すセンサーの構造。
【発明の詳細な説明】
【技術分野】
【０００１】  この発明は、簡易な構造で安価に提供できる振動センサーの構造に係る。
【背景技術】
【０００２】  振動センサーは、各種構造が知られていて実用化も図られている。しかし、低周波領域の安価で高出力のものは無かった。
【発明の開示】
【発明が解決しようとする課題】
【０００３】  非常に簡易な構造で、大出力の振動センサーを提供せんとするものである。
【課題を解決するための手段】
【０００４】  振動を検出するためには変位を測定するか、加速度を測定するかが必要である。図１は従来の加速度検出方式振動センサーの模式図である。
図１においては、振動体１に加速度センサー２を圧接させて振動を検出する。加速度検出方式は振動の加速度を検出するのであるから、振動周波数が低いと出力が著しく低下する。
また、なんらかの接触子３によって振動体１に接触させてその加速度を測定する為、その接触によって振動が制約させて重大な影響を受ける欠点がある。【０００５】  図２は新たに提示される振動センサーの構造例である。図においては振動体１に密接させるカップ４を設け、その内部にマイク５を内蔵する。カップ４と振動体１を密接させるとそこに密閉空間ができる。
振動体１が振動するとカップ４内の気圧が変動する。マイク５はこれを高感度で検出して電気信号に変換して出力する。
原理的には振動体１が一体として振動した場合は、カップ内の気圧は影響を受けないので出力は生じない。しかし、振動体１が軟性面、例えば皮膚面などであるとカップ４との接合周辺部と中央部とで振動に差異が生じて出力が発生する。
このように本発明の主要な用途は、皮膚面振動など軟性表面の部分的振動の検出である。用途の実例としては声帯振動を頸部皮膚から検出すること、その他、人体局部振動の検出に最高性能を発揮する。
【発明の効果】
【０００６】  従来加速度センサーを使用して検出していた信号、心臓の鼓動（心拍）の検出や声帯振動の検出などが、極めて安易に大出力で行うことができる。
図３は本発明の別の実施態様である。この例ではカップ４に変えて吸盤６を用いる。吸盤６は弾性を持つ柔軟な構造で、裾野の平面で振動体１表面に密着する。その効用によって安易に密閉空間を現出させることができる。
【発明を実施するための最良の形態】
【０００７】  マイクとしてはエレクトレットコンデンサマイクなどが最適である。カップの形状は随意であるが、その内部体積をできるだけ小さくすることが感度向上に有効である。また、カップの開口面積は出来るだけ大きいほうが感度を上昇させる。しかし、面積増大は振動検出の地点分解能を低下させる。
図４は本発明の別の実施態様である。この例ではカップ４に変えて耳栓７を用いる。耳栓７は耳穴に挿入密接される構造で、その効用によって振動体を含めて安易に密閉空間を現出させることができる。この構造では、耳穴が密閉空間になり鼓膜など聴組織が振動面になる。
人体表面、特に顔面に密閉空間を作るとき困難を覚えるのは、簡単に表面に密着させることである。耳穴を利用するのは非常に有効で、何ら固定用部品を使用せずに極めて安易に脱着ができる。【０００８】  本発明の更なる有効な用途は、生体の微細振動（マイクロヴァイブレーションＭＶ）の検出である。
ＭＶは生体表面（皮膚面）の振動であって、数１０Ｈｚの微細振動が存在する事が知られている。これは発生原因が不明で現象分析が進んでいないが、今後進展が予想される分野になる。
従来このＭＶの検出には加速度センサーが使用されていたが、先に述べたように感度が非常に低く、数１０ｍｖ程度の出力しか得られなかった。本発明の構造を用いると容易に数１００ｍｖないし１Ｖの出力が得られて、大幅な検出器の簡易化が可能になる。
【図面の簡単な説明】
【０００９】
【図１】従来の加速度センサーによる振動センサーの構造図である。
【図２】新たに提案する振動センサーの構造図である。
【図３】吸盤を用いた別の構造図である。
【図４】耳栓を用いた別の構造図である。
【符号の説明】
【００１０】  １  振動体
２  加速度センサー
３  接触子
４  カップ
５  マイク
６  吸盤
７  耳栓
８  耳穴
【図１】
2020197514.tif 000003
【図２】
2020197514.tif 000004
【図３】
2020197514.tif 000005
【図４】
2020197514.tif 000006